(57)【特許請求の範囲】
【請求項１】
底部がほぼ逆Ｔ字状をなし、上部にレール部が形成された軌条の側面に軌条用加熱装置を取り付ける軌条用加熱装置の取付具において、前記軌条の底部の一方の側面に嵌合可能なコの字部、該コの字部から底部下面に沿って底部の他方の側面まで延出すると共に先端部分には該他方の側面に係合する係合片が設けられた下片部、前記コの字部から軌条の側面方向に延出する上片部が一枚の金属板材を折曲することで一体に形成された係止金具と、
前記上片部の先端に取着され、前記軌条用加熱装置を保持すると共に、上片部の弾性力により該軌条用加熱装置を前記軌条の側面に押圧する押さえ金具とを具備し、
前記下片部は前記係合片寄りの部位で前記上片部方向へくの字状に折曲されると共に、前記コの字部の板厚は、前記上片部および前記下片部の板厚より厚くなるように形成されている
ことを特徴とする軌条用加熱装置の取付具。
【請求項２】
底部がほぼ逆Ｔ字状をなし、上部にレール部が形成された軌条の側面に軌条用加熱装置を取り付ける軌条用加熱装置の取付具において、前記軌条の底部の一方の側面に嵌合可能なコの字部、該コの字部から底部下面に沿って底部の他方の側面まで延出すると共に先端部分には該他方の側面に係合する係合片が設けられた下片部、前記コの字部から軌条の側面方向に延出する上片部が一枚の金属板材を折曲することで一体に形成された係止金具と、
前記上片部の先端に取着され、前記軌条用加熱装置を保持すると共に、上片部の弾性力により該軌条用加熱装置を前記軌条の側面に押圧する押さえ金具とを具備し、
前記下片部は前記係合片寄りの部位で前記上片部方向へくの字状に折曲されると共に、前記コの字部には剛性を有するコ字状の補助金具が装着されている
ことを特徴とする軌条用加熱装置の取付具。
【請求項３】
前記押さえ金具は、前記上片部に前記軌条の長手方向と平行な軸線を中心として回動自在に取り付けられていることを特徴とする請求項１または請求項２記載の軌条用加熱装置の取付具。
【発明の詳細な説明】
【０００１】
【発明の属する技術分野】
本発明は、軌条、特に軌条の分岐部分が積雪等によって凍結するのを防止すべく軌条に取り付けられる軌条用加熱装置の取付具に関する。
【０００２】
【従来の技術】
従来、軌条に軌条用加熱装置を取り付ける取付具としては図７に示すような構造のものが用いられている。
軌条用加熱装置（不図示）が取り付けられる軌条５０は図６に示すように、底部５２の断面形状がほぼ逆Ｔ字状をなし、上部にレール部５４が形成された鉄製の長尺物である。そして軌条５０は所定の間隔を空けて敷石上に並設された枕木（不図示）上に載置されており、枕木と当接する部分以外の下面と敷石（不図示）との間には隙間が生じている。
【０００３】
取付具５６はこの軌条５０の側面５８に軌条用加熱装置６０を取り付けるためのものである。なお、取り付けられる軌条用加熱装置６０の外形は軌条５０のほぼ垂直な側面５８に軌条５０の長手方向に沿って配置できるように細長い形状に形成されている。また、加熱装置６０の加熱機構の具体例は、電熱線により加熱する機構としても良いし、また内部に電磁コイルを配して鉄製の軌条５０に向けて交番磁界を発生させ、軌条５０の内部に渦電流を誘起させて加熱する機構としても良い。
【０００４】
取付具５６は、軌条５０の底部５２の一方の側面５２ａに嵌合可能なコの字部６２と、コの字部６２の下片部６２ａにスライド自在に挿入され、軌条５０の底部５２の他方の側面５２ｂに延びる一端にはフック６４ａが形成され、他端にはナット６６が螺合された雄螺部６４ｂが形成された棒状のフック部材６４と、コの字部６２の上端に設けられた上片部６２ｂに軌条５０の側面５８に向けて螺着され、当該側面５８方向の先端には軌条用加熱装置６０を保持するための断面コの字状の押さえ金具６８が取り付けられた押圧用螺子７０と、コの字部６２の上端に上片部６２ｂを中心としてその両側に螺着されて配され、コの字部６２が嵌合される底部５２の一方の側面５２ａ側の上面を下方に押圧可能な一対の締付螺子７２とから構成されている。
【０００５】
次に、取付具５６を用いて軌条５０に軌条用加熱装置６０を取り付ける手順について説明する。
最初に、フック部材６４の他端側のナット６６を緩めてフック６４ａ側を軌条５０の底部５２の幅以上に延出させる。また締付螺子７２と押圧用螺子７０も緩めておく。
延出させたフック部材６４のフック６４ａ側を軌条５０と敷石との間の隙間に挿入し、フック６４ａを軌条５０の他方の側面５２ｂに係合させると共に、コの字部６２を底部５２の一方の側面５２ａに嵌合させる。
【０００６】
その後にナット６６を回してフック部材６４をコの字部６２側に引き寄せて、フック６４ａとコの字部６２との間で軌条５０の底部５２を締め付ける。さらに一対の締付螺子７２を回して先端を下方に突出させ、底部５２の一方の側面５２ａ側をコの字部６２の下片部６２ａとの間で挟持し、取付具５６を軌条５０の底部５２に固定する。
最後に、押さえ金具６８と軌条５０の側面５８との間に軌条用加熱装置６０を配して押圧用螺子７０を回し、軌条用加熱装置６０を側面５８に押しつけて保持させる。
【０００７】
【発明が解決しようとする課題】
しかしながら、上記の従来の軌条用加熱装置の取付具５６には次の様な課題が有る。
この取付具５６を用いて軌条用加熱装置６０を軌条５０に取り付ける際には、４つの螺子を一旦緩めて再度締めつけるという作業が必要であり、取付作業に時間がかかる。また、ナット６６が螺合されたフック部材６４の雄螺部６４ｂが軌条５０の側方に突出するため、軌条５０の点検作業時に作業員がこの突出部分につまずいて危険であり、安全上の課題もある。
さらに軌条５０は列車が通過する度に上下に撓むため、取付具５６を軌条５０に締めつけている各螺子が緩み、保持している加熱装置６０と軌条５０の側面５８との間に隙間が生じて軌条５０を加熱する効率が低下する。また、各螺子がさらに緩むことによって軌条５０から脱落する場合もあるという課題もある。
【０００８】
従って、本発明は上記課題を解決すべくなされ、その目的とするところは、軌条用加熱装置を簡単に取り付けできると共に、軌条の点検作業員に対して安全であり、また軌条から脱落しにくい軌条用加熱装置の取付具を提供することにある。
【０００９】
【課題を解決するための手段】
上記目的を達成するために、本発明は、底部がほぼ逆Ｔ字状をなし、上部にレール部が形成された軌条の側面に軌条用加熱装置を取り付ける軌条用加熱装置の取付具において、前記軌条の底部の一方の側面に嵌合可能なコの字部、該コの字部から底部下面に沿って底部の他方の側面まで延出すると共に先端部分には該他方の側面に係合する係合片が設けられた下片部、前記コの字部から軌条の側面方向に延出する上片部が一枚の金属板材を折曲することで一体に形成された係止金具と、前記上片部の先端に取着され、前記軌条用加熱装置を保持すると共に、上片部の弾性力により該軌条用加熱装置を前記軌条の側面に押圧する押さえ金具とを具備し、前記下片部は前記係合片寄りの部位で前記上片部方向へくの字状に折曲されると共に、前記コの字部の板厚は、前記上片部および前記下片部の板厚より厚くなるように形成されていることを特徴とする。
【００１０】
これによれば、軌条に嵌合する係止金具は一枚の金属板材を折曲して製造されているため、軌条の底部の一方の側面から係止金具の弾性力に抗して押し広げながら嵌め入れ、下片部の先端の係合片を軌条の底部の他方の側面に係合させることによってワンタッチで軌条に取り付けることが可能となる。また、係止金具は一枚の金属板材を折曲して、軌条に装着した際に軌条の側面に沿って密着する形状に形成されているから、軌条の側方に突出する量が従来例に比べて少なく軌条の点検作業員が取付具自体につまずく可能性も低くなる。また、取付具は自らの弾性力によって軌条に装着され、かつ加熱装置を軌条の側面に押しつけているため、列車の通過時に軌条が上下に撓んだ場合でも弾性変形して脱落することなく確実に加熱装置を押しつけることができる。また、前記下片部は前記係合片寄りの部位で前記上片部方向へくの字状に折曲し、前記コの字部の板厚を、前記上片部および前記下片部の板厚より厚くなるように形成することで、前記コの字部の剛性を前記上片部および前記下片部の剛性より高くなるように形成すると、コの字部が外圧を受けても変形しにくくなって取付具が軌条から外れにくくなる。また、コの字部の両端部を基準として上片部と下片部とが折曲するようになり、特にくの字状に折曲された下片部の先端は常に上方に付勢されることになる。よって、仮に係合片に下方への力が一時的に加わった場合でも元の係合状態に容易に復帰し、はずれにくい。
【００１１】
また、前記コの字部に、剛性を有するコ字状の補助金具を装着することで、剛性を高めても良い。
【００１２】
また、前記押さえ金具は、前記上片部に前記軌条の長手方向と平行な軸線を中心として回動自在に取り付けるようにすれば、軌条の側面に密着させて軌条用加熱装置を取り付けることが可能となる。
【００１３】
【発明の実施の形態】
以下、本発明に係る軌条用加熱装置の取付具の好適な実施の形態を添付図面に基づいて詳細に説明する。なお、従来例と同じ構成要素については同じ符号を付す。
まず、軌条用加熱装置の取付具１０の構成を図１と図４を用いて説明する。この取付具１０は、従来例で説明したように図６に示す断面形状の軌条５０の側面５８に軌条用加熱装置６０を取り付けるためのものである。軌条５０は、底部５２がほぼ逆Ｔ字状をなし、上部にレール部５４が形成されている。
この取付具１０は、係止金具１２と、係止金具１２の上端部に取り付けられ、軌条用加熱装置６０を保持して軌条５０の側面５８に押圧する押さえ金具１４とから構成されている。
【００１４】
さらに詳細に、各構成要素について説明する。
係止金具１２は、軌条５０の底部５２の一方の側面５２ａに嵌合可能なコの字部１６と、コの字部１６から底部５２の下面５２ｃに沿って底部５２の他方の側面５２ｂまで延出すると共に先端部分には当該他方の側面５２ｂに係合する係合片１８が設けられた下片部２０と、コの字部１６から軌条５０の側面５８方向に延出する上片部２２とから構成され、これら各構成部が一枚の金属板材（一例として長方形の金属板）を折曲することで一体に形成されている。
また、上片部２２の先端部分には、当該先端部分が図１に示すように丸く曲げられて円筒状部２４が形成されている。
また、下片部２０は係合片１８寄りの部位（一例として本実施の形態では係合片１８から軌条５０の下面の長さの約４分の１の距離だけ内側の部位）で上片部２２の方向（上方向）へくの字状に折曲されている。本実施の形態では一例として約５〜６度折曲されている。
【００１５】
また、コの字部１６の上側の端部１６ａは、軌条５０に嵌合した際に軌条５０の底部５２の上斜面のうちの図６に示すように一方の側面５２ａ寄りの角度が緩い斜面（約 5.7°）と接触する位置にあり、また下側の端部１６ｂは軌条５０の下面５２ｃの略中央部分に至る位置となる。また、コの字部１６の折曲部位間の距離Ａは軌条５０の底部５２の側面５２ａ、５２ｂの厚みより長く設定すると共に、開口幅Ｂは折曲部分から開口端に向かうにしたがって次第に幅狭となるように形成されている。なお、開口端の開口幅Ｂは軌条５０の底部５２の側面５２ａ、５２ｂの厚みより短くなるように設定されている。
このように、コの字部１６の上側の端部１６ａと軌条５０の底部５２上面との当接位置を角度の緩い一方の側面５２ａ寄りの斜面とすることによって、取付具１０を軌条５０に嵌合させた際に軌条５０から抜けにくくなるようにしている。さらに、コの字部１６の折曲部位間の距離Ａと開口幅Ｂを上記のように設定することによってコの字部１６が軌条５０の底部５２を挟持する力も増え、また多少軌条５０の底部５２の上面の傾きが製品のばらつきで多少大きくなっても、常にコの字部１６の上側の端部が底部５２の上面と点で接触するため、常に最も奥の位置で底部５２を挟持できる。よって、一層抜けにくくなるという効果がある。
【００１６】
また、コの字部１６の剛性は上片部２２および下片部２０の剛性より高くなるように形成されている。剛性を高める具体的な構造は、本実施の形態では一例として図１等に示すように係止金具１２を形成する金属板材よりも剛性のある金属材料を用いてコの字状に形成された補助金具２６を、コの字部１６の外面に装着するものである。補助金具２６はコの字部１６に一例としてリベット２７を用いて固定されている。他の固定方法としては溶接もあるが、溶接の際の熱により取付具１０の弾性が低下するのであまり好ましくない。また、この構造以外にも、例えばコの字部１６の板厚を上片部２２および下片部２０の板厚より厚くなるように形成して剛性を高める構成としても良いし、またリブ（不図示）を設けて剛性を高めるようにしても良い。
【００１７】
また、押さえ金具１４は図１等に示すように、一枚の金属板材を用いて断面コ字状に折曲されて形成されている。そして、その背面には、上片部２２に形成された円筒状部２４の幅より若干幅広となる間隔を空け、各々に透孔２８が設けられた一対の立設片３０が互いに平行に立設されている。
押さえ金具１４は、一対の立設片３０間に各透孔２８と対応するように上片部２２の円筒状部２４を配置し、各上片部２２の透孔２８と円筒状部２４にシャフト３２を貫通させて、図４に示すように突出したシャフト３２の両端に一例として割りピン３４を装着することによって、上片部２２にシャフト３２を中心として、つまり取付具１０が装着される軌条５０の長手方向と平行な軸線を中心として回動自在、かつ抜脱不能に取り付けられている。
【００１８】
次に、取付具１０を用いて軌条用加熱装置６０を軌条５０に装着する手順について説明する。
図２に示すように、押さえ金具１４に軌条用加熱装置６０を配した状態で、取付具１０を軌条５０の底部５２の一方の側面５２ａ側にあてがう。この状態において、当該一方の側面５２ａはコの字部１６の上側の開口端と当接する位置となる。
この状態から取付具１０を軌条５０方向へ押し込む。一例としてコの字部１６の外側面をハンマなどで叩けばワンタッチで押し込むことができる。
これによりコの字部１６の開口端が押し広げられて取付具１０は軌条５０方向に移動して、押さえ金具１４に保持された軌条用加熱装置６０が軌条５０の側面５８に押しつけられ、さらに取付具１０が軌条５０方向に移動し、下片部２０の先端の係合片１８が底部５２の他方の側面５２ｂに係合して、図３のように軌条５０の底部５２に完全に嵌まり込む。なお、図５は軌条５０に嵌まり込んだ状態を示す斜視図である（割りピン３４は省略されている）。
【００１９】
このように、取付具１０を軌条５０の底部５２に、その一方の側面５２ａから嵌合させる際に、まず軌条用加熱装置６０が軌条５０の側面５８と当接し、その後係止金具１２の上片部２２が弾性変形しながらさらに取付具１０が軌条５０方向に移動するため、押さえ金具１４は係止金具１２の上片部２２の弾性力により常に軌条５０の側面方向に付勢されている。そして押さえ金具１４が上述したようにシャフト３２を中心として回動自在であるために、押さえ金具１４は軌条５０の側面５８の傾きに合わせて回動して軌条用加熱装置６０を軌条５０の側面５８に密着した状態で押さえ付けることができる。
また、軌条５０が列車の通過時に撓んでも、取付具１０自体が軌条５０の変形に合わせて弾性変形可能であるために、従来の取付具５６のように緩むことはなく、軌条用加熱装置６０を軌条５０の側面５８に常に密着させることができ、また軌条５０から脱落したりすることもない。
【００２０】
また、予めくの字状に折曲された取付具１０の下片部２０も、取付具１０が完全に軌条５０に嵌合された際には、コの字部１６の下側の端部を中心として下方に弾性変形して軌条５０の下面５２ｃに沿って延びた状態となる。
従って、下片部２０の先端の係合片１８は、下片部２０の弾性力によって常時上方に付勢された状態であるため、何らかの外力が係合片１８に上方から加わった場合でも係合片１８が軌条５０の底部５２の他方の側面５２ｂから外れるということが少なくなる。よって、確実な軌条用加熱装置６０の取り付けが可能となる。
【００２１】
一例として厚さ 1.5ミリメートルのステンレス鋼を用いて係止金具１２を形成し、補助金具には 2.0ミリメートルのステンレス鋼を用いた場合の取付具１０の各構成要素の弾性力は、上片部２２の傾きや加熱装置６０の厚さによって若干変化はするが、上片部２２の弾性力による押圧力は約 5〜10キログラム、同様にしてコの字部１６の挟持力は約 150〜 250キログラム、下片部２０の押圧力は約 5〜10キログラム程度となり、十分な加熱装置６０の押圧力と軌条５０に対する嵌合力とを確保できる。
また、軌条用加熱装置６０は通常は長尺であるため、図４に示すように２個以上の取付具１０を用いて保持するのが一般的である。
【００２２】
また、取り外す場合には、軌条５０の底部５２の一方の側面５２ａとコの字部１６との間の隙間にドライバーを挿入してこじりながら、同じく係合片１８と他方の側面５２ｂとの間にドライバーを挿入して係合片１８を下方に移動させて他方の側面５２ｂとの係合を解除させるだけで、後は取付具１０が有する弾性力によりコの字部１６の開口幅Ｂが狭まり図２の位置まで自動的に移動する。よって、取り外しもワンタッチで行える。また、軌条５０の下面５２とリベット２７が当接するので軌条５０の下面５２と下片部２０との間に隙間が生じる。よって、軌条５０の底部５２の一方の側面５２ａとコの字部１６との間の隙間にドライバーを挿入してこじる際に、下面５２と下片部２０との間の隙間にドライバーを挿入して下片部２０を下方に押し下げるようにしても同様にしてワンタッチで取り外すことができる。
【００２３】
以上、本発明の好適な実施の形態について種々述べてきたが、本発明は上述する実施の形態に限定されるものではなく、発明の精神を逸脱しない範囲で多くの改変を施し得るのはもちろんである。
【００２４】
【発明の効果】
本発明に係る軌条用加熱装置の取付具を用いると、軌条に嵌合する係止金具は一枚の金属板材を折曲して製造されているため、軌条の底部の一方の側面から係止金具の弾性力に抗して押し広げながら嵌め入れ、下片部の先端の係合片を軌条の底部の他方の側面に係合させることによってワンタッチで軌条に取り付けることが可能となり、取付作業が短時間で行えるようになる。また、係止金具は一枚の金属板材を折曲して、軌条に装着した際に軌条の側面に沿って密着する形状に形成されているから、従来の取付具のように軌条の側方から突出する部分がなく、軌条の点検作業員が取付具自体につまずくことも少なくなり、安全である。また、取付具は自らの弾性力によって軌条に装着され、かつ加熱装置を軌条の側面に押しつけているため、列車の通過時に軌条が上下に撓んだ場合でも弾性変形して確実に加熱装置を押しつけることができるという効果を奏する。
【図面の簡単な説明】
【図１】本発明に係る軌条用加熱装置の取付具の一実施形態を示す正面図である。
【図２】図１の取付具を軌条の底部の一方の側面側にあてがった際の正面図である。
【図３】図１の取付具を用いて軌条に軌条用加熱装置を取り付けた状態を示す正面図である。
【図４】図１の取付具を用いて軌条に軌条用加熱装置を取り付けた状態を示す側面図である。
【図５】図１の取付具を用いて軌条に軌条用加熱装置を取り付けた状態を示す斜視図である。
【図６】軌条の一般的な構造を示す断面図である。
【図７】従来の軌条用加熱装置の取付具の一例を示す正面図である。
【符号の説明】
１０  取付具
１２  係止金具
１４  押さえ金具
１６  コの字部
１８  係合片
２０  下片部
２２  上片部
５０  軌条
５２  底部
５２ａ  一方の側面
５２ｂ  他方の側面
５４  レール部
６０  軌条用加熱装置
【図１】
0003926899.tif 000002
【図２】
0003926899.tif 000003
【図３】
0003926899.tif 000004
【図４】
0003926899.tif 000005
【図５】
0003926899.tif 000006
【図６】
0003926899.tif 000007
【図７】
0003926899.tif 000008